(57)【特許請求の範囲】
【請求項１】
放送のための各種プログラムの電気信号を光信号に変換し制御信号に基づいて出力する複数の信号送出部と、前記各信号送出部から出力された光信号を制御信号に基づいて入力し電気信号に変換し信号圧縮処理する少なくとも１つの信号処理部と、前記各信号送出部と信号処理部との間に設けられ、前記各信号送出部から出力される光信号を前記信号処理部に伝達するための一点から入力された光を内部で拡散させて多地点に伝送可能なブロードキャスト型の光伝送媒体とを備えたことを特徴とする放送用プログラムの切り替え処理を行う放送機器用処理装置。
【請求項２】
前記光信号がそれぞれ異なる波長を有し、前記信号処理部が前記異なる波長用にそれぞれ用意され、前記各信号処理部において前記異なる波長の光信号の中から波長選択によりそれぞれ対応する波長を有する信号が選択されることを特徴とする請求項１記載の放送機器用処理装置。
【請求項３】
前記光信号がそれぞれ異なる振幅を有し、前記信号処理部が前記異なる振幅用にそれぞれ用意され、前記各信号処理部において前記異なる振幅の光信号の中から振幅選択によりそれぞれ対応する振幅を有する信号が選択されることを特徴とする請求項１記載の放送機器用処理装置。
【請求項４】
前記光伝送媒体が一点から入力された光を内部で拡散させて多地点に伝送可能なブロードキャスト型の複数個の並列接続された光伝送媒体から構成され、前記各信号送出部からの光信号が画像信号に係るものか、それとも音声信号および／または字幕信号に係るものかに応じて異なる導光路を介して別々の光伝送媒体が割り当てられることを特徴とする請求項１〜３のいずれかに記載の放送機器用処理装置。
【請求項５】
放送のための各種プログラムの電気信号を光信号に変換し制御信号に基づいて出力する少なくとも１つの信号送出部と、前記信号送出部から出力された光信号を制御信号に基づいて入力し電気信号に変換し信号圧縮処理する少なくとも１つの信号処理部と、前記信号送出部への前記制御信号および前記信号処理部への前記制御信号を出力する送出制御部と、前記信号送出部と信号処理部との間に設けられ前記信号送出部から出力される光信号を前記信号処理部に伝達するための一点から入力された光を内部で拡散させて多地点に伝送可能なブロードキャスト型の第１の光伝送媒体とを備えた放送用プログラムの切り替え処理を行う放送機器用処理装置を有することを特徴とする放送システム。
【請求項６】
前記送出制御部と前記信号送出部および／または信号処理部との間に、制御信号に係る光信号を伝達するブロードキャスト型の第２の光伝送媒体を備えたことを特徴とする請求項５記載の放送システム。
【請求項７】
複数備えられた信号送出部のうちの一部の信号送出部と第１の光伝送媒体との間に設けられ、前記一部の信号送出部からの出力信号に係る光信号を第１の光伝送媒体に伝達するブロードキャスト型の第３の光伝送媒体を備えたことを特徴とする請求項５または６記載の放送システム。
【請求項８】
前記光伝送媒体が、一端に光信号の入射又は出射を担う入出力部を有する階段状の複数の段差が設けられ、他端に光の進行方向をほぼ反対方向に変える端面が設けられた透光性媒体により形成され、前記光の進行方向をほぼ反対方向に変える端面が光を拡散させる光学系を具備することを特徴とする請求項５〜７のいずれかに記載の放送システム。
【請求項９】
前記光伝送媒体が、一端に複数の導光路が接続され、他端に光の進行方向をほぼ反対方向に変える端面が設けられた透光性媒体により形成され、前記光の進行方向をほぼ反対方向に変える端面が光を拡散させる光学系を具備することを特徴とする請求項５〜７のいずれかに記載の放送システム。
【請求項１０】
前記光伝送媒体が、両端にそれぞれ１つ又は複数の導光路が接続される透光性媒体により形成され、前記光伝送媒体の少なくとも一方の端面に光を拡散させる光学系を具備することを特徴とする請求項５〜７のいずれかに記載の放送システム。
【請求項１１】
少なくとも１つの信号送出部から放送のための各種プログラムの電気信号を光信号に変換し制御信号に基づいて出力し、前記各信号送出部からの光信号を一点から入力し内部で拡散させて多地点に伝送可能なブロードキャスト型の光伝送媒体を通し、前記光信号を制御信号に基づいて入力し電気信号に変換し信号圧縮処理する少なくとも１つの信号処理部に伝達することを特徴とする放送用プログラムの切り替え処理を行う放送機器用信号伝達方法。
【請求項１２】
前記信号処理部から前記信号送出部のための制御信号に係る光信号を前記ブロードキャスト型の光伝送媒体を通して前記信号送出部に伝達することを特徴とする請求項１１記載の放送機器用信号伝達方法。
【発明の詳細な説明】
【０００１】
【発明の属する技術分野】
本発明は、信号送出部から出力された放送用の信号を処理する信号処理部を備えた放送機器用処理装置に関するものである。
【０００２】
【従来の技術】
従来から、放送システムには、放送用の信号を出力する信号送出部と、これから出力された信号を入力し処理する信号処理部が備えられている。信号送出部から出力される信号は、具体的には、例えば、生放送プログラム、ＣＭ用プログラム、あるいは録画プログラムなどである。これらのプログラムが逐次切り替えられて実際の放送が実行される。
【０００３】
例えば、特開平１０−６６０３８号公報には、この種の放送システムが開示されている。この放送システムは、デジタル符号化された大量の番組データを蓄積し、デジタル多チャンネル送出を行うものであり、放送の際にテキストや音声信号との合成処理・編集処理が可能とされる。そのため、この放送システムでは、信号送出部（プログラム送出部）と信号処理部（ＭＰＥＧエンコーダ）の間にスイッチャーが設けられている。このスイッチャーは、上述の各プログラムを適宜切り替え、合成し、編集や音声信号合成等を行い、チャンネルの出力信号を生成する。
【０００４】
【発明が解決しようとする課題】
しかしながら、上記スイッチャは、切り替え、合成または編集等を行うものであり、入力されるプログラムの種類が増大するにつれて、その負担が大きくなる。例えば、上記スイッチャの入力数が７０程度を超えると、この種のスイッチャ内で行われるプログラムの切り替え作業は極めて煩雑となる。また、内部配線の増加に伴ってノイズ対策やクロストーク対策等も十分行う必要があり、放送機器用処理装置内の回路構成が非常に複雑になるという問題がある。
【０００５】
従って本発明の目的は、多数の放送用プログラムの切り替えを簡易な構成で行うことができる放送機器用処理装置を提供することにある。
【０００６】
【課題を解決するための手段】
上記目的は、放送のための信号を出力する複数の信号送出部と、前記各信号送出部から出力された信号を入力し処理する少なくとも１つの信号処理部とを備えた放送機器用処理装置であって、前記各信号送出部と信号処理部との間にブロードキャスト型の光伝送媒体を備え、前記各信号送出部からの出力信号に係る光信号を前記光伝送媒体を通して前記信号処理部に伝達する放送機器用処理装置により、達成される。
【０００７】
ここで、前記光信号はそれぞれ異なる波長を有し、前記信号処理部において前記異なる波長の光信号の中から波長選択により所望の信号が選択されるようにすることができる。また、前記光信号はそれぞれ異なる振幅を有し、前記信号処理部において前記異なる振幅の光信号の中から振幅選択により所望の信号が選択されるようにすることができる。さらに、前記光伝送媒体が複数個の光伝送媒体から構成されるようにし、前記各信号送出部からの出力信号の種類に応じて別々の光伝送媒体が割り当てられるようにすることができる。
【０００８】
また、本発明に係る放送システムは、放送のための信号を出力する少なくとも１つの信号送出部と、前記信号送出部から出力された信号を入力する少なくとも１つの信号処理部と、前記信号送出部および／または信号処理部に制御信号を出力する送出制御部と、前記信号送出部と信号処理部の間に設けられ前記信号送出部からの出力信号に係る光信号を前記信号処理部に伝達するブロードキャスト型の第１の光伝送媒体とを備えて構成される。
【０００９】
さらに、前記送出制御部と前記信号送出部および／または信号処理部との間に、制御信号に係る光信号を伝達するブロードキャスト型の第２の光伝送媒体を備えることができる。また、複数備えられた信号送出部のうちの一部の信号送出部と第１の光伝送媒体との間に設けられ、前記一部の信号送出部からの出力信号に係る光信号を第１の光伝送媒体に伝達するブロードキャスト型の第３の光伝送媒体を備えることができる。
【００１０】
ここで、前記光伝送媒体は、一端に光信号の入射又は出射を担う入出力部を有する階段状の複数の段差が設けられ、他端に光の進行方向をほぼ反対方向に変える端面が設けられた透光性媒体により形成することができ、また、一端に複数の導光路が接続され、他端に光の進行方向をほぼ反対方向に変える端面が設けられた透光性媒体により形成することができる。この場合、前記光の進行方向をほぼ反対方向に変える端面が、光を拡散させる光学系を具備することが好ましい。さらに、前記光伝送媒体は、両端にそれぞれ１つ又は複数の導光路が接続される透光性媒体により形成することができる。この場合、前記光伝送媒体の少なくとも一方の端面に光を拡散させる光学系を具備することが好ましい。
【００１１】
さらに、放送機器用信号伝達方法は、少なくとも１つの信号送出部から放送のための信号を出力し、前記各信号送出部からの出力信号に係る光信号をブロードキャスト型の光伝送媒体を通して少なくとも１つの信号処理部に伝達するものである。ここで、前記信号処理部からの制御信号に係る光信号を前記ブロードキャスト型の光伝送媒体を通して前記信号送出部に伝達するように構成することができる。
このように、ブロードキャスト型の光伝送媒体を用いることにより、従来のようなスイッチャを用いることなく、信号処理を各部に分散することが可能となり、放送用プログラムの切り替えを簡易な構成で行うことができる。
【００１２】
【発明の実施の形態】
図１は、本発明に係る放送システムにおける放送機器用処理装置の一実施例を示す概略図である。図示のとおり、本実施例では、各種放送用プログラムの電気信号を光信号に変換して送出する信号送出部１，２，３と、各信号送出部からの光信号を伝達する導光路１１，１２，１３と、各導光路から入力された光信号を内部でブロードキャストする光伝送媒体４と、光伝送媒体でブロードキャストされた光信号を入力し伝達する導光路１４と、この導光路から入力された光信号を電気信号に変換して例えば信号圧縮処理などを行う信号処理部５と、信号処理部からの処理信号を伝達する信号線１５と、この信号線から入力された処理信号に対して記録および／または放送のための処理を行う記録／放送処理部６とを備える。
【００１３】
信号送出部１，２，３および信号処理部５は、それぞれ制御線１６，１７を介して、送出制御部７からの制御信号により制御される。例えば、いま、信号送出部１，２，３が、生放送プログラム、ＣＭ用プログラム、録画プログラムをそれぞれ送出するように構成されているとすると、送出制御部７により、まず時刻Ｔ１で、信号送出部１に生放送プログラムを送出するよう制御信号が出力され、同時に信号処理部５に信号送出部１から生放送プログラムが送出される旨の制御信号が出力される。次に時刻Ｔ２で、信号送出部２にＣＭ用プログラムを送出するよう制御信号が出力され、同時に信号処理部５に信号送出部２からＣＭ用プログラムが送出される旨の制御信号が出力される。このように、送出制御部７により、信号送出部１，２，３および信号処理部５が所望のプログラムを順次送出し受信できるように制御される。
【００１４】
信号送出部１，２，３における各種プログラムは、送出時に例えばレーザダイオード等の電気／光変換素子を用いてそれぞれ電気信号から光信号に変換されて導光路１１〜１３に出力される。一方、信号処理部５における導光路１４からの受信信号は、例えばフォトダイオード等の光／電気変換素子を用いて光信号から電気信号に変換される。導光路１１〜１４としては、例えば光ファイバを用いることができる。
図１に示す光伝送媒体４は、一点から入力された光を多地点に伝送可能な、いわゆるブロードキャスト型で構成される。以下、この光伝送媒体の具体例について説明する。
【００１５】
図２はブロードキャスト型の光伝送媒体の一例を示す図であり、（ａ）は斜視図、（ｂ）は側面図である。図において、光伝送媒体２１は透光性媒体からなるコア２４を有し、好ましくはコア２４の上下面及び左右の側面にはコア部の透光性媒体よりも屈折率の小さいクラッド２５が配置される。透光性媒体にはポリメチルメタクリレート、ポリカーボネート、アモルファスポリオレフィンのようなプラスチック材料、又は無機ガラス等を用いることができる。光信号は平板状に成型されたコア２４内を進行する。光伝送媒体２１の一端面２３は光信号を反射させる役割を担っている。そのため端面２３は、表面を研磨加工するか、あるいは光を反射してさらに拡散する反射拡散光学系を具備する。反射面と対向する端面は、図２（ａ）に示すように階段状に加工され、さらに図２（ｂ）に示すようにその端面は平板の上下面に対して４５度面２７に加工され、光が反射しやすいように研磨される。場合によっては、この端面に金属膜などを蒸着することもできる。
【００１６】
また光入出射部２２は、光の入出射に際し損失が無いように鏡面研磨するなどの加工を施すことが望ましい。このようにすることによって、光入出射部２２から入力した光信号は４５度面２７で反射し、コア２４内を伝搬して他端面の反射面２３で反射し、再び４５度面２７で反射して光入出射部２２から出射する。この時、光は広く拡散しながら戻ってくるので、光信号を入力した光入出射部のみならず他の光入出射部からも同じ光信号を取り出すことができる。すなわち、ブロードキャスト型の光伝送媒体が構成され、任意の光入出射部２２間で信号の授受が可能になる。この光伝送媒体２１は平板状に成型されており、いわゆる光シートバスを構成する。図１との関係では、導光路１１〜１３と光入出射部２２が光結合され、３つの光入出射部２２からそれぞれ光信号が入射される。入射した各光信号は媒体内でブロードキャストされ、反射拡散されて、それぞれ導光路１４へと出力される。
【００１７】
図３はブロードキャスト型の光伝送媒体の他の例を示す図であり、（ａ）は斜視図、（ｂ）は側面図である。本例では、光伝送媒体として、図２に示した材料と同じ物を使用することができる。本例においても、光伝送媒体３１はコア３４とクラッド３５を有している。その一端面３３は光信号を反射させる役割を担っており、表面を研磨加工するか、あるいは光を反射してさらに拡散する反射拡散光学系を具備している。一方、反射面と対向する端面は、図３（ａ）に示すように、導光路１１〜１４が光学的に結合されている。この結合には市販の光コネクタを用いることができ、また光学接着剤を用いて接着してもよく、熱融着としてもよい。この導光路としては、ガラスや各種プラスチックを材料とする光ファイバなどが適している。本例の光伝送媒体３１においては、導光路１１〜１３から光信号が入力され、各光信号は媒体内でブロードキャストされ、反射拡散されて、それぞれ導光路１４へと出力される。
【００１８】
図４はブロードキャスト型の光伝送媒体のさらに他の例を示す図であり、（ａ）は斜視図、（ｂ）は側面図である。本例でも、光伝送媒体として、図２に示した材料と同じ物を使用することができる。本例の光伝送媒体はコア４４とクラッド４５を有している。また、透過型とされており、図４（ａ）に示すように、光伝送媒体４１の一端に導光路１１〜１３が接続され、他端に導光路１４が接続されている。光伝送媒体４１の一端面４３は光信号を拡散する拡散光学系を具備している。光伝送媒体４１と導光路１１〜１４との光学的結合および導光路の種類等は、前述の例と同様にすることができる。本例の光伝送媒体４１においては、導光路１１〜１３から光信号が入力され、各光信号は媒体内で拡散されブロードキャストされて、それぞれ導光路１４へと出力される。
このように、ブロードキャスト型の光伝送媒体を用いて放送機器用処理装置を構成することにより、装置内の各種配線数が低減され、回路構成がきわめて簡単となる。
【００１９】
図５は、本発明に係る放送システムにおける放送機器用処理装置の他の実施例を示すブロック構成図である。図示のとおり、本実施例では、生放送プログラムの電気信号を光信号に変換して送出する信号送出部５１、ＣＭ用プログラムの電気信号を光信号に変換して送出する信号送出部５２および録画プログラムの電気信号を光信号に変換して送出する信号送出部５３を備える。各信号送出部からの光信号は、それぞれ導光路５１１，５１２、５２１，５２２、５３１，５３２を伝達されて、ブロードキャスト型の光伝送媒体５４に入力される。この場合、導光路５１１、５２１、５３１には画像信号を送り、もう一方の導光路５１２、５２２、５３２には音声信号（および／または字幕信号）を送るようにすることができる。ブロードキャスト型の光伝送媒体５４としては、例えば、上述した図２〜図４に示した光伝送媒体が使用可能である。
【００２０】
光伝送媒体５４に入力された各信号は、媒体内でブロードキャストされ、導光路５４１，５４２に出力される。本例では、光伝送媒体５４に導光路５４１，５４２の２本を接続しているが、光伝送媒体５４との接続は１本の導光路とし、それを下流で光分岐器等で２本に分けて用いることもできる。導光路５４１，５４２は、それぞれ信号処理部（ＭＰＥＧエンコーダ）５５，５６に接続される。ＭＰＥＧエンコーダ５５は例えばハイビジョン放送用に用意され、ＭＰＥＧエンコーダ５６は例えば標準放送用に用意される。
【００２１】
各プログラム信号送出部５１，５２，５３およびＭＰＥＧエンコーダ５５，５６は、送出制御部５７からの制御信号により制御される。例えば、送出制御部５７により、まず時刻Ｔ１で、信号送出部５３にハイビジョン放送用の録画プログラムを送出するよう制御信号が出力され、同時にＭＰＥＧエンコーダ５５に信号送出部５３からハイビジョン放送用の録画プログラムが送出される旨の制御信号が出力される。次に時刻Ｔ２で、プログラム信号送出部５２にハイビジョン放送用のＣＭ用プログラムを送出するよう制御信号が出力され、同時にＭＰＥＧエンコーダ５５にプログラム信号送出部５２からハイビジョン放送用のＣＭ用プログラムが送出される旨の制御信号が出力される。このように、送出制御部５７により、各プログラム信号送出部５１，５２，５３が所望のプログラムを順次送出できるように制御される。
【００２２】
また本実施例では、各プログラム信号送出部５１，５２，５３およびＭＰＥＧエンコーダ５５，５６と送出制御部５７との間に別のブロードキャスト型の光伝送媒体５８，５９が設けられている。ここでも、ブロードキャスト型の光伝送媒体５４としては、例えば、上述した図２〜図４に示した光伝送媒体が使用可能である。本例では、光伝送媒体５８は送出制御部５７から出力される光信号用に設けられ、光伝送媒体５９は送出制御部５７へ入力される光信号用に設けられているが、光伝送媒体５８，５９を合体して１つの光伝送媒体に置き換えることも可能である。
【００２３】
各プログラム信号送出部５１，５２，５３における各種プログラムは、送出時に例えばレーザダイオードを用いてそれぞれ電気信号から光信号に変換される。この場合、出力されるプログラム毎に異なる波長または異なる振幅の光信号として出力することができる。一方、ＭＰＥＧエンコーダ５５，５６における導光路５４１，５４２からの受信信号は、例えばフォトダイオードを用いて光信号から電気信号に変換される。この場合、ＭＰＥＧエンコーダ５５，５６に設けられる光信号の受信回路において、波長選択または振幅選択の技術により所望の信号が選択されて、処理される。
【００２４】
図６は、波長選択を行う光信号受信回路の一例を示す図である。本例では、波長が異なる複数（ここでは２つ）の光信号６１を光方向性結合器６２で複数（ここでは２つ）の光信号に分離し、この２つの光信号を、伝搬する長さの異なる光導波路６３，６４を通過させた後、光方向性結合器６５で合成させる、いわゆるマッハ・ツェンダ干渉計型の光波長分離回路が用いられる。そして波長分離された光信号６６，６７の中から所望波長の光信号が選択され、フォトダイオード等の受光素子６８または６９で電気信号に変換される。これ以外にも、基板表面に階段状の回折格子を作製し、波長によって反射する角度が異なる回折格子型や、透明基板の上に屈折率の異なる２つの誘電体を積層した構造の多層膜型の光波長選択回路を用いることもできる。
【００２５】
図７は、振幅選択を行う光信号受信回路の一例を示す図である。本例では、振幅が異なる複数の光信号７１をフォトダイオード等の受光素子７２で電気信号に変換し、これをアンプ７３で増幅し、復号器７４に入力する。復号器７４は、予め設定された複数の閾値ＴＨに基づく比較データと入力信号とを比較し、そのコード信号を所定の論理テーブルから得られる論理信号レベルとしてセレクタ７５に出力する。セレクタ７５は、その複数の論理信号レベルと、受信信号として抽出しようとしている強度（振幅）信号コードＲＦとから、所定の信号弁別処理により受信すべき信号を選択する。
ＭＰＥＧエンコーダ５５，５６は、このような受信回路を備えることにより、波長選択または振幅選択の技術により所望の信号を選択し、処理することができる。
【００２６】
図８は、本発明に係る放送システムにおける放送機器用処理装置のさらに他の実施例を示すブロック構成図である。本実施例は図５と対応するものであり、図５と異なる部分を特に図示したものである。図示のとおり、本実施例は、図５の光伝送媒体５４を複数個（ここでは２つ）の光伝送媒体８１，８２に分割したものである。これにより、各信号送出部からの出力信号の種類に応じて、例えば光伝送媒体８１には各信号送出部からの画像信号を導光路５１１，５２１，５３１を介して割り当て、また光伝送媒体８２には各信号送出部からの音声信号（および／または字幕信号）を導光路５１２，５２２，５３２を介して割り当てることができる。
【００２７】
図９は、本発明に係る放送システムにおける放送機器用処理装置のさらに他の実施例を示すブロック構成図である。本実施例も図５と対応するものであり、図５と異なる部分を特に図示したものである。本実施例は、図示のとおり、複数備えられた信号送出部５１〜５３のうち、一部の信号送出部５２，５３と光伝送媒体５４との間に、別のブロードキャスト型の光伝送媒体９１を備えたものである。光伝送媒体９１の出力側は光ファイバ等の導光路９２を介して光伝送媒体５４に接続される。放送システムにおいて、一部の信号送出部が他の信号送出部と離れて配置されているときに、本例は有効である。本例によれば、少なくとも一本の導光路９２により、光伝送媒体９１を介して、離れた場所に配置された信号送出部を光伝送媒体５４に結ぶことができる。
【００２８】
図１０は、本発明に係る放送システムにおける放送機器用処理装置のさらに他の実施例を示すブロック構成図である。本実施例は、図１と対応するものであるが、送出制御部が独立して設けられておらず、その機能がそれぞれ信号送出部１’，２’，３’および信号処理部５’に割り振られている点で異なる。本実施例では、信号送出部１’，２’，３’から各種放送用のプログラムに係る信号が導光路１１〜１３を通して送出されるとともに、信号処理部５のための制御信号も同経路に送出される。一方、信号処理部５’では、光伝送媒体４および導光路１４を介して入力された、各種放送用のプログラムに係る信号および制御信号を受信して処理するとともに、逆に信号送出部１’，２’，３’のための制御信号を、導光路１４、光伝送媒体４および導光路１１〜１３の経路を介して、信号送出部１’，２’，３’に送出する。このように、ブロードキャスト型の光伝送媒体を用いて、双方向に光信号を送出することにより、装置内の各種配線数をさらに低減することができ、回路構成がさらに簡単化される。
【００２９】
このように、本発明では、ブロードキャスト型の光伝送媒体を用いることにより、従来のようなスイッチャを有しない構成とすることができる。すなわち、装置内を流れる画像や音声を、スイッチャで集中制御することなく、各処理部にブロードキャストすることで分散制御することが可能となる。これにより、スイッチ回路に要するコストの大幅な削減が可能であり、また入力されるプログラムの多重数の増大も可能となる。さらに、装置内の配線数を減少することができ、ノイズやクロストークに強い回路構成を実現することができる。
【００３０】
【発明の効果】
本発明によれば、多数の放送用プログラムの切り替えを簡易な構成で行うことができる放送機器用処理装置を得ることができる。
【図面の簡単な説明】
【図１】本発明に係る放送システムにおける放送機器用処理装置の一実施例を示す概略図である。
【図２】ブロードキャスト型の光伝送媒体の一例を示す図であり、（ａ）は斜視図、（ｂ）は側面図である。
【図３】ブロードキャスト型の光伝送媒体の他の例を示す図であり、（ａ）は斜視図、（ｂ）は側面図である。
【図４】ブロードキャスト型の光伝送媒体のさらに他の例を示す図であり、（ａ）は斜視図、（ｂ）は側面図である。
【図５】本発明に係る放送システムにおける放送機器用処理装置の他の実施例を示すブロック構成図である。
【図６】波長選択を行う光信号受信回路の一例を示す図である。
【図７】振幅選択を行う光信号受信回路の一例を示す図である。
【図８】本発明に係る放送システムにおける放送機器用処理装置のさらに他の実施例を示すブロック構成図である。
【図９】本発明に係る放送システムにおける放送機器用処理装置のさらに他の実施例を示すブロック構成図である。
【図１０】本発明に係る放送システムにおける放送機器用処理装置のさらに他の実施例を示すブロック構成図である。
【符号の説明】
１，２，３  信号送出部
４  光伝送媒体
５  信号処理部
６  記録／放送処理部
７  送出制御部
１１，１２，１３，１４  導光路
１５  信号線
１６，１７  制御線
【図１】
0003873666.tif 000002
【図２】
0003873666.tif 000003
【図３】
0003873666.tif 000004
【図４】
0003873666.tif 000005
【図５】
0003873666.tif 000006
【図６】
0003873666.tif 000007
【図７】
0003873666.tif 000008
【図８】
0003873666.tif 000009
【図９】
0003873666.tif 000010
【図１０】
0003873666.tif 000011